(57)【要約】【課題】  本発明は、多数の鍵を保存管理しなければならない場所における各鍵取扱い者のための鍵管理具に関するものである。【解決手段】  本発明は、平鍵板３３を錠体に挿入して開錠する機構において、裏蓋体１内部に配置する弾性部材９の中央突片９’が前記平鍵板の凹溝に接離し、表蓋体１１内部に配置する弾性体２６を前記平鍵板の凹孔と凹溝を表蓋体面上の各突起との係合を介して伸縮せしめ、前記弾性体には表蓋体に設けたキーホルダ孔と同形の挿入孔２５を設け、前記平鍵板の挿入によりキーホルダ３１を離脱し、キーホルダの挿入により平鍵板を離脱せしめるように成るものである。【選択図】    図２
2008214853.tif 000002
【特許請求の範囲】
【請求項１】
平鍵板を錠体に挿入して開錠する機構において、裏蓋体内部に配置する弾性部材の中央突片が前記平鍵板の凹溝に接離し、表蓋体内部に配置する弾性体に対し前記平鍵板の凹孔と凹溝を表蓋体面上の各突起との係合を介して伸縮せしめ、前記弾性体には表蓋体に設けたキーホルダ孔と同形の挿入孔を設けこの両孔を合離せしめるようにし、前記平鍵板の挿入  によりキーホルダを離脱し、キーホルダの挿入により平鍵板を離脱せしめるように成ることを特徴とする鍵管理具。
【請求項２】
複数個の鍵管理具を所定場所に並置して成る請求項１に記載した鍵管理具。
【発明の詳細な説明】
【技術分野】
【０００１】
本発明は、多数の鍵を保存管理しなければならない場所における各鍵取扱い者用の鍵管理具に関するものである。
【背景技術】
【０００２】
従来、この種の関係する平鍵板を使用する器具としては、次のような公共の場において設置する傘の盗難防止用の錠具が存していた。
【０００３】
【特許文献１】実公昭２６−６５６０号公報
【特許文献２】実公昭２７−４２５５号公報
【特許文献２】実公昭３４−２０７９９号公報
【発明の開示】
【発明が解決しようとする課題】
【０００４】
しかし、番号や名称を表示した平鍵板を錠体に挿入することによって開錠し、開錠状態では平鍵板が抜き取れないように構成することによって、鍵の使用者管理と使用者の特定を目的とする鍵管理具に関するものは存しなかった。
【０００５】
また、キーホルダも平鍵板も、開錠・施錠の操作時に錠から不用意に飛び出すことがないように、指で摘んで取り出せる程度の係止状態にすることができる簡易な器具は存しなかった。
【０００６】
そこで、本発明は前記目的を達成することができる画期的な鍵管理具を提供することを目的とするものである。
【課題を解決するための手段】
【０００７】
本発明は、平鍵板を錠体に挿入して開錠する機構において、裏蓋体内部に配置する弾性部材の中央突片が前記平鍵板の凹溝に接離し、表蓋体内部に配置する弾性体を前記平鍵板の凹孔と凹溝を表蓋体面上の各突起との係合を介して伸縮せしめ、前記弾性体には表蓋体に設けたキーホルダ孔と同形の挿入孔を設け、前記平鍵板の挿入によりキーホルダを離脱し、キーホルダの挿入により平鍵板を離脱せしめるように成るものである。
【発明の効果】
【０００８】
第１に、倉庫その他いかなる場所において使用される場合であっても、必要場所への鍵の保管取扱いを安心して行うことができ、きわめて利便なものとなる。
【０００９】
第２に、所定の平鍵板の保管が特定の取扱い者のみによって行われることになるから、平鍵板の使用に混乱を生ぜず、取扱い者は責任をもって保管することができるようになる。
【００１０】
第３に、平鍵を挿入するとキーホルダを抜き取ることができ、キーホルダを挿入すると平鍵板が解放して抜き取ることができ、いずれの作用も簡単かつ円滑にできるようになる。
【００１１】
第４に、開錠や施錠の操作時において、錠体内部の弾性部材の作動によってキーホルダと平鍵板が飛び出そうとする状態を確実に防止することができる。
【発明を実施するための最良の形態】
【００１２】
いまキーホルダを錠体から開錠するためには、平鍵板を前記錠体の表蓋体の上端凹形部に挿入して、弾性体を上方から押圧する。すると、弾性体はその取付部と一体に成る弾機部を介して下動して収縮するから、キーホルダのロック部がキーホルダの抑止部となっていた前蓋板のキー挿入口に通じる弾性体の取付部の通口部と中間凹部とから離脱して開錠状態となる。したがって、これによってキーホルダを抜き取ることができるようになる。
【００１３】
この時、キーホルダのロック部が弾圧していた弾性部材の中央突片の先端部が平鍵板の中央凹溝に接合するようになるから、平鍵板は抜き取ることができないように固定される。
【００１４】
次にキーホルダを施錠するためには、キーホルダの先端ロック部を錠体の表蓋体の前蓋板のキーホルダ挿入孔から挿入する。すると、キーホルダのロック部は、弾性体の通口部に挿入した時、ロック部は当該通口部から下側の中間凹部に挿入して係合するようになる。
【００１５】
この時、キーホルダのロック部は弾性部材の中央突片の一部を押圧するから、この中央突片の先端部は係合していた平鍵板の中央凹溝から離脱し、平鍵板が抜き取れる状態となり、施錠を完了する。
【００１６】
また、開錠状態に平鍵板を挿入した時、キーホルダが飛び出さないように、キーホルダの先端ロック部の周囲に設けた飛出し阻止部が、錠体内部に設けたキーホルダ飛び出し防止弾性部に係止するようになる。
【００１７】
逆に、キーホルダを挿入して施錠状態にした時は、弾性部材の弾発力によって平鍵板が飛び出さないように、錠体内部の弾性部材の中央突片の先端部が平鍵板の飛び出し防止用の凹溝に係止する。
【００１８】
平鍵板に設けた表示部には、任意の番号シール等を添付する。
【００１９】
平鍵板の分類・識別機能を向上させるためにグループ化するように、色分け（例えば６色）する。
【００２０】
以上の機構についての作用の説明を、さらに具体的かつ詳細に図４について説明すると、次のようになる。
【００２１】
図４は、図１および図２に示した表裏両蓋体１，１１から成る錠体の内部に各構成部材を収容した組立てた状態を示した縦断面図であり、その状態においては、キーホルダ３１および平鍵板３３を使用したときの作用を示している。(ａ)乃至(ｄ)の図面において左側が正面方向となる。
【００２２】
いま図５に示したとおりに並列している鍵保管場所から、担当者が「倉庫３」の鍵を持ち出すときは、担当者が保持する平鍵板３３を、開錠のために表蓋体１１の前蓋板１２の上端凹形部１３に挿入する。
【００２３】
図４(ａ)は開錠のための平鍵板を挿入する最初の状態を示し、(ｂ)は平鍵板を矢印方向に押下した後の状態を示す。
【００２４】
挿入した平鍵板３３を押下すると、平鍵板の中央部の凹孔３４，斜面部３５および凹溝部３６が移動して、函形状に成る裏蓋体１の下方部から突設している弾性部材９の中央突片９’が、凹溝部３６にスライド係合して停止する。
【００２５】
同時に、表蓋板１１に設置した弾性体２６の弾機部２７への押圧によって、その通口部２９との中間凹孔２９’に係合していたキーホルダ３１のロック部３２が解放されるから、(ｂ)に示すように、矢印方向にキーホルダを引き抜くことができる。
【００２６】
この時、キーホルダ３１のロック部３２が弾圧していた弾性部材９の中央突片９’の弾圧は解かれ、平鍵板３３の中央凹溝部３６に係合するから、平鍵板を抜き取ることができない。
【００２７】
(ｃ)および(ｄ)は、以上(ａ)および(ｂ)に示した抜き取り作用とは反対のキーホルダ３１の取付け保管状態を示した図面であり、前記(ａ)(ｂ)とは逆の作用によって、キーホルダを表蓋体１１の前蓋板１２の挿入孔２５に挿入押圧すれば、キーホルダ３１のロック部３２の先端が弾性体２６の中間凹孔２９’の上端両肩部に形成した傾斜面部２８’，２８’を摺動するから、弾機部２７は下方に移動圧縮され、通口部２９へのキーホルダ３１のロック部３２の通過を許す。
【００２８】
通口部２９を通過したロック部３２は、弾性体２６の復元力によって押し戻された中間凹孔２９’内に係合し、これによってキーロックのロック部３２の弾性体２６の取付け部２８への係合が完了する。
【００２９】
この時、同時にロック部３２の先端が内部に臨設する弾性部材９の中央突片９’および側突片９”，９”を作動してロックされ、同時に平鍵板３３は解放状態となるから、これを取り出して持参すればよい。
【実施例】
【００３０】
１は後壁板２の内側周囲に上壁部３と三方の周枠部４，４，４を設けた空間部５を形成した函形状に成る裏蓋体で、この裏蓋体は前記空間部５を中央空間部５’と左右空間部５”，５”に三区分する画板６，６を上下部間に架設する。
【００３１】
前記上壁部３の左右両側部には側段部３’，３’を形成している。
【００３２】
７，７は前記裏蓋体１の中央空間部５’の上側に設けた前記上壁部３の左右両側部から下向きに突設する突片で、この突片はある程度の強度と弾性度を有する。
【００３３】
８，８は前記中央空間部５’の下側周枠部４の左右両側部に設けた置台部で、この置台部には基部を係合載置し上方の中央空間部５’に向って平鍵係止用の弾性部材９を配置する。
【００３４】
この平鍵係止用の弾性部材９の基部には、斜め上方向に突出する中央突片９’と斜め下方向に突出する側突片９”，９”とを設ける。
【００３５】
前記中央突片９’の先端部には傾斜角を有する突部を設ける。
【００３６】
１０，１０は前記裏蓋体１の左右両側部に設けた通孔で、この通孔に臨接する左右周枠部の内側部には傾斜面部１９，１９を形成し、ここに後記表蓋体１１の左右巾縁部１６，１６に設けた突片１７，１７の先端を摺動してその外側の係止部１８，１８を前記傾斜面部１９，１９の底辺部に係止して通孔１０，１０に臨接する。
【００３７】
１１は前蓋板１２の内側周囲に上端凹形部１３と三方の周枠部１４，１４，１４を設けた空間部１５を形成した函状に成る表蓋体で、この表蓋体は前記空間部１５の左右両端部に巾縁部１６，１６を設けている。
【００３８】
前記上端凹形部１３を形成する左右の突当て部１３’，１３’は、表蓋体１１を前記裏蓋体１に嵌合するとき上壁部３の左右側段部３’，３’に嵌着するように成る。
【００３９】
１７，１７は前記左右巾縁部１６，１６の中央部に各突設した突板で、この突板の外端には係止部１８，１８を設け、この係止部は前記裏蓋体１の左右両通孔部１０，１０に臨設する傾斜面部１９，１９の底辺部に嵌合係止するようになる。
【００４０】
２０，２０は前記表蓋体１１の前蓋板１２の内側中央部に少許間隔をおいて並設した中ストッパで、この中ストッパから下方の周枠部１４の中央に突設した下ストッパ２１と上方中央部に突設した上ストッパ２２とを設ける。
【００４１】
２３は前記上ストッパ２２と同一水平位置の一側部の前蓋板１２面上に突設した高突子で、この高突子には後記平鍵板３３の先端一側部に設けた溝孔３５が嵌挿しガイドとなる。
【００４２】
２４は前記上ストッパ２２と同一水平位置の他側部の前蓋板１２面上に突設した低突子で、この低突子には後記平鍵板３３の先端他側部の裏面部に設けた凹溝３６が係合しガイドとなる。
【００４３】
このように、前記高突子２３と低高突子２４は上ストッパ２２をはさんで左右に並設し、後記平鍵板３３の中央凹孔３４及び凹溝部３６の上下移動時のガイドの役割を果たすことになる。
【００４４】
２５は前記前蓋板１２面上の中ストッパ２０，２０の下側中央部に設けたキーホルダ挿入口で、この挿入口には後記するキーホルダ３１のロック部３２が嵌合するようになる。
【００４５】
２６は前記中，下，上の各ストッパ２０，２０，２１，２２に囲まれた位置に取付く弾性体で、この弾性体は弾機部２７及び取付部２８及び通口部２９から成る。この通口部の下側中間部には凹孔２９’を形成し、通口部全体としては前記キーホルダ挿入孔２５とほぼ同形状に成り、前記中間凹孔２９’の上端両肩部には傾斜面部２８’，２８’を形成する。
【００４６】
３０は前記弾性体２６の通口部２９の上面中央に設けた弾性部で、この弾性部は後記キーホルダ３１の飛出し防止用となる。
【００４７】
３１はキーホルダで、このキーホルダの先端部にはロック部３２を設け、このロック部は前記表蓋体１１の前蓋板１２のキーホルダ挿入孔２５及び弾機体２６の通口部２９から中間凹部２９’に挿入係合するようになる。
【００４８】
３１’は前記キーホルダ３１の中央部周囲に設けた飛出し阻止部で、これによって後記平鍵板の挿入時にキーホルダが飛び出すことを防止する役割をする。
【００４９】
３３は平鍵板で、この平鍵板は表裏両面部における構成が異なり、平鍵板の一端部には中央部に凹孔３４を設け、この中央凹孔の一側部には少許間隔をおき小凹孔３７を設ける。
【００５０】
前記平鍵板３３の中央凹孔３４には前記表蓋体１１の前蓋板１２上の上ストッパ２２が係合し、また小凹孔３７には前記表蓋体１１の前蓋板１２上の高突子２３が係合し、いずれも平鍵板の上下作動のガイドとなる。
【００５１】
前記平鍵板３３の表面部３３’には、前記中央凹孔３４につづき斜面部３５および少許間隔をおいて中央凹溝部３６を設ける。
【００５２】
前記中央凹孔３４の他側部には前記小凹孔と同巾の小凹溝３８を設け、この小凹溝には前記表蓋体１１の前蓋板１２上の低突子２４が係合しガイドとなる。
【００５３】
３９は前平鍵板３３の表面部３３’に設けた段面部で、この段面部には記号や番号などの任意シールａを貼付する。
【００５４】
前記平鍵板３３の裏面部３３”には、前記中央凹孔３４につづき斜面部３５および少許間隔をおいて中央凹溝３６を設け、この中央凹講３６をはさんで左右両側部に浅凹溝４０，４０を設ける。
【００５５】
このうち、中央凹溝３６には前記弾性部材９の中央突片９’の先端部が当接係止し、左右両浅凹溝３９，３９には前記裏蓋体１の左右両突片７，７の先端部が係止するようになる。
【００５６】
４１は前記裏蓋体１の後壁板２上に突設した突起４１’に係着した発条で、この発条は上方に位置する弾性部材９の中央突片９’の裏面部に当接して中央突片の弾発力を補助する。
【００５７】
４２は前記表蓋体１１の前蓋板１２上に設置した弾性体２６の弾機部２７の下側中央に突設した突起４２’に係着した発条で、この発条は前記弾機部の裏面部に当接して弾機部の弾発力を補助する。
【図面の簡単な説明】
【００５８】
【図１】全体の構成部品の斜視図
【図２】一部組立て状態の関係部材の正面図
【図３】要部の半截正面図
【図４】図２のＡ−Ａ線関係部分の断面図で、(ａ)(ｂ)(ｃ)(ｄ)はそれぞれ作用状態を示す。
【図５】一使用例の斜視図
【符号の説明】
【００５９】
１                    裏蓋体
２                    後壁板
３                    上壁部
４，４，４            周枠部
５                    空間部
５’                  中央空間部
５”，５”            左右空間部
６，６                画板
７，７                突片
８，８                置台部
９                    弾性部材
９’                  中央突片
９”，９”            側突片
１０，１０            通孔
１１                  表蓋体
１２                  前蓋板
１３                  上端凹形部
１４，１４，１４，１４周枠部
１５                  空間部
１６，１６            巾縁部
１７，１７            突片
１８，１８            係止部
２０，２０            中ストッパ
２１                  下ストッパ
２２                  上ストッパ
２３                  高突子
２４                  低突子
２５                  挿入孔
２６                  弾性体
２７                  弾機部
２８                  取付部
２８’，２８’        傾斜面部
２９                  通孔部
２９’                中間凹孔
３０                  弾性部
３１                  キーホルダ
３１’                飛出し阻止部
３２                  ロック部
３３                  平鍵板
３３’                平鍵板の表面部
３３”                平鍵板の裏面部
３４                  中央凹孔
３５                  斜面部
３６                  中央凹溝部
３７                  小凹孔
３８                  小凹溝
３９                  段面部
４０，４０            浅凹溝
４１                  発条
４１’                突起
４２                  発条
４２’                突起
【図１】
2008214853.tif 000003
【図２】
2008214853.tif 000004
【図３】
2008214853.tif 000005
【図４】
2008214853.tif 000006
【図５】
2008214853.tif 000007